(57)【要約】【課題】下りリンクで送信される情報に対する受信品質を測定するための時間（積分時間）を十分に確保し、信頼性の高い受信品質情報を基地局装置に対して送信する。【解決手段】移動局装置２００が、基地局装置１００から受信した信号の受信品質を測定し、受信品質情報を基地局装置１００へ送信する移動通信システムであって、基地局装置１００は、受信品質情報を非周期的なタイミングで送信する旨を移動局装置２００に対して指示する送信タイミング遅延情報を、上りリンクデータ送信許可信号に含めて移動局装置２００へ送信し、移動局装置２００は、送信タイミング遅延情報を含む上りリンクデータ送信許可信号を基地局装置１００から受信した場合は、送信タイミング遅延情報により指示されたタイミングで、受信品質情報を基地局装置１００へ送信する。【選択図】図４
2009177723.tif 000002
【特許請求の範囲】
【請求項１】
移動局装置が、基地局装置から受信した信号の受信品質を測定し、受信品質情報を前記基地局装置へ送信する移動通信システムであって、
基地局装置は、受信品質情報を非周期的なタイミングで送信する旨を移動局装置に対して指示する送信タイミング遅延情報を、上りリンクデータ送信許可信号に含めて移動局装置へ送信し、
前記移動局装置は、前記送信タイミング遅延情報を含む上りリンクデータ送信許可信号を前記基地局装置から受信した場合は、前記送信タイミング遅延情報により指示されたタイミングで、受信品質情報を前記基地局装置へ送信することを特徴とする移動通信システム。
【請求項２】
前記基地局装置は、前記上りリンクデータ送信許可信号により、前記受信品質情報と同じタイミングで上りリンクデータを送信する旨を前記移動局装置に対して指示し、
前記移動局装置は、前記送信タイミング遅延情報を含む上りリンクデータ送信許可信号を前記基地局装置から受信した場合は、前記受信品質情報と同じタイミングで、上りリンクデータを前記基地局装置へ送信することを特徴とする請求項１記載の移動通信システム。
【請求項３】
前記基地局装置は、前記上りリンクデータ送信許可信号により、前記受信品質情報と異なるタイミングで上りリンクデータを送信する旨を前記移動局装置に対して指示し、
前記移動局装置は、前記送信タイミング遅延情報を含む上りリンクデータ送信許可信号を前記基地局装置から受信した場合は、前記受信品質情報と異なるタイミングで、上りリンクデータを前記基地局装置へ送信することを特徴とする請求項１記載の移動通信システム。
【請求項４】
前記基地局装置は、前記上りリンクデータ送信許可信号により、上りリンクデータを前記上りリンクデータ送信許可信号を受信したタイミングで送信する旨および受信品質情報を前記送信タイミング遅延情報により指示したタイミングで送信する旨を前記移動局装置に対して指示し、
前記移動局装置は、前記上りリンクデータ送信許可信号を前記基地局装置から受信した場合は、前記上りリンクデータ送信許可信号を受信したタイミングで、上りリンクデータを前記基地局装置へ送信すると共に、前記送信タイミング遅延情報により指示されたタイミングで受信品質情報を前記基地局装置へ送信することを特徴とする請求項３記載の移動通信システム。
【請求項５】
移動局装置に対して、受信品質情報の送信動作を制御する基地局装置であって、
移動局装置が生成する受信品質情報を非周期的なタイミングで送信する旨を前記移動局装置に対して指示する送信タイミング遅延情報、および上りリンクデータ送信許可信号を入力し、前記送信タイミング遅延情報を上りリンクデータ送信許可信号に含めるスケジューリングを行なうスケジューラ部と、
前記送信タイミング遅延情報を含む上りリンクデータ送信許可信号を前記移動局装置に対して送信する送信部と、を備えることを特徴とする基地局装置。
【請求項６】
前記スケジューラ部は、前記上りリンクデータ送信許可信号により、前記受信品質情報と同じタイミングで上りリンクデータを送信する旨を前記移動局装置に対して指示するスケジューリングを行なうことを特徴とする請求項５記載の基地局装置。
【請求項７】
前記スケジューラ部は、前記上りリンクデータ送信許可信号により、前記受信品質情報と異なるタイミングで上りリンクデータを送信する旨を前記移動局装置に対して指示するスケジューリングを行なうことを特徴とする請求項５記載の基地局装置。
【請求項８】
前記スケジューラ部は、前記上りリンクデータ送信許可信号により、上りリンクデータを前記上りリンクデータ送信許可信号を受信したタイミングで送信する旨および受信品質情報を前記送信タイミング遅延情報により指示したタイミングで送信する旨を前記移動局装置に対して指示するスケジューリングを行なうことを特徴とする請求項７記載の基地局装置。
【請求項９】
基地局装置から受信した信号の受信品質を測定し、受信品質情報を前記基地局装置へ送信する移動局装置であって、
受信品質情報を非周期的なタイミングで送信する旨を指示する送信タイミング遅延情報を含む上りリンクデータ送信許可信号を前記基地局装置から受信部と、
前記受信部が、前記送信タイミング遅延情報を含む上りリンクデータ送信許可信号を受信した場合、前記送信タイミング遅延情報により指示されたタイミングで、受信品質情報を前記基地局装置へ送信する送信部と、を備えることを特徴とする移動局装置。
【請求項１０】
前記送信部は、前記受信部が、前記送信タイミング遅延情報を含む上りリンクデータ送信許可信号を前記基地局装置から受信した場合は、前記受信品質情報と同じタイミングで、上りリンクデータを前記基地局装置へ送信することを特徴とする請求項９記載の移動局装置。
【請求項１１】
前記送信部は、前記受信部が、前記送信タイミング遅延情報を含む上りリンクデータ送信許可信号を前記基地局装置から受信した場合は、前記受信品質情報と異なるタイミングで、上りリンクデータを前記基地局装置へ送信することを特徴とする請求項９記載の移動局装置。
【請求項１２】
前記送信部は、前記受信部が、前記上りリンクデータ送信許可信号を前記基地局装置から受信した場合は、前記上りリンクデータ送信許可信号を受信したタイミングで、上りリンクデータを前記基地局装置へ送信すると共に、前記送信タイミング遅延情報により指示されたタイミングで受信品質情報を前記基地局装置へ送信することを特徴とする請求項１１記載の移動局装置。
【発明の詳細な説明】
【技術分野】
【０００１】
本発明は、移動局装置が、基地局装置から受信した信号の受信品質を測定し、受信品質情報を前記基地局装置へ送信する一方、基地局装置が、移動局装置から受信した受信品質情報に基づいてリソースの割り当てを行なう移動通信システム、これに適用可能な基地局装置および移動局装置に関する。
【背景技術】
【０００２】
近時、移動通信システムの分野においては、データ通信の需要が高まっている。そして、データ通信の需要に伴う通信データの増加に対応した、高い周波数利用効率が得られる様々な技術が提案されている。周波数利用効率を高める技術の１つに、ＯＦＤＭＡ（Orthogonal Frequency Division Multiple Access：直交周波数分割多元接続）がある。このＯＦＤＭＡは、セルで構成される通信エリアにおいて、すべてのセルで同じ周波数を用いて通信する際の変調方式の技術に関するものであり、高速なデータ通信を実現することができる。
【０００３】
ＯＦＤＭＡシステムにおける送信パケットのスケジューリングでは、広帯域、狭帯域のサブキャリアにおける下り回線状態の受信品質を示す情報であるＣＱＩ（Channel Quality Indicator）を移動局装置が基地局装置に送信し、基地局装置は、各移動局装置から送信された広帯域、狭帯域のサブキャリアに対するＣＱＩに基づいて、パケットのスケジューリングを行なうという方法が知られている。
【０００４】
また、複数のサブキャリアを用いるＯＦＤＭ（Orthogonal Frequency Division Multiplexing：直交波周波数分割多重）システムにおける送信パケットのスケジューリングにおいて、移動局装置で下りの各チャネル状態（周波数特性、すなわち、周波数に依存する伝送損失等の特性）を評価し、各チャネル状態を量子化した情報を基地局装置に送信し、基地局装置は、送信された情報に基づいて各移動局装置に割り振るサブキャリアを決定するという技術も知られている。
【０００５】
図７は、従来の基地局装置と移動局装置との通信方法について説明するための図である。基地局装置から受信品質測定に用いる下りリンクで送信される情報を受信した移動局装置は、その情報に基づいて各チャネルの受信品質を測定し、伝搬路のチャネルプロファイルを作成する。
【０００６】
移動局装置が作成したチャネルプロファイルは、上りリンクを用いて、受信品質情報として移動局装置から基地局装置に送信される。基地局装置は、その受信品質情報に基づいて、基地局装置から移動局装置に対して送信する信号に対して適応変調符号化や周波数選択スケジューリングの処理を行なう。
【０００７】
この移動局装置による基地局装置への受信品質情報の送信に関して、国際的な標準化プロジェクトである３ＧＰＰ（3rd Generation Partnership Project）で検討されている第３世代無線アクセスの進化ＥＵＴＲＡ（Evolved Universal Terrestrial Radio Access）では、上りリンクにおける情報の通信方式として、ＤＦＴ（Discrete Fourier Transform）−ｓｐｒｅａｄ−ＯＦＤＭ方式によるシングルキャリア通信方式が提案され、専用の上りリンク制御チャネル（以下、「ＰＵＣＣＨ：Physical Uplink Control Channel」と呼称する。）、もしくは、上りリンクデータチャネル（以下、「ＰＵＳＣＨ：Physical Uplink Shared Channel」と呼称する。）を用いて、移動局装置から基地局装置に送信することが検討されている。
【０００８】
また、非特許文献１では、移動局装置から基地局装置への受信品質情報の送信方法として、基地局装置が、非周期（トリガ）的に受信品質情報を送信するためのＰＵＳＣＨのリソースを割り当て、その信号を受信した移動局装置が割り当てられたリソースを使用して詳細な受信品質情報を送信することで、基地局装置、移動局装置間で柔軟性を持った受信品質情報の送受信を実現する提案がなされている。
【０００９】
次に、３ＧＰＰ（3rd Generation Partnership Project）で検討されている非周期的な受信品質情報の送信方法について説明する。移動局装置は、基地局装置からの下りリンク制御チャネル（以下、「ＰＤＣＣＨ：Physical Downlink Control Channel」と呼称する。）によって指示されたリソース割当てに応じて、上りリンクデータに対する情報を送信する。すなわち、この下りリンク制御チャネル（ＰＤＣＣＨ）が、上りリンクに対するデータ送信を許可する信号Ｌ１／Ｌ２グラント（アップリンクグラント、上りリンクデータ送信許可信号とも呼称する。）である。また、基本的に、移動局装置がＰＵＣＣＨとして割り当てられるリソース領域は、ＰＵＳＣＨとして割り当てられるリソース領域よりも小さいために、送信できる情報量のサイズは小さくなる。移動局装置は、上りリンクのＰＵＣＣＨ１サブフレームを使用して小さな情報量を持った受信品質情報を送信し、ＰＵＳＣＨ１サブフレームを使用して大きな情報量を持った詳細な受信品質情報を送信することができる。
【００１０】
基地局装置は、移動局装置から送信される受信品質情報に基づいて、移動局装置に送信する信号に適応変調符号化や周波数選択スケジューリング等の処理を施す。移動局装置から詳細な受信品質情報が送信されると、基地局装置は、その情報に基づいて、高精度な適応変調符号化や周波数選択スケジューリング等の処理を施すことができ、基地局装置、移動局装置間において緻密な通信制御（スケジューリング）を実現し、上りリンク、下りリンクのリソースをより効率的に使用することができる。
【００１１】
非特許文献１では、基地局装置が、受信品質情報（もしくは、通常の上りリンクデータ（例えば、ユーザーデータ）と受信品質情報）を送信するために使用するＰＵＳＣＨのリソースをＬ１／Ｌ２グラントを用いて非周期的に割り当て、この信号を受信した移動局装置が、割り当てられたＰＵＳＣＨのリソースを使用して詳細な受信品質情報（もしくは、通常の上りリンクデータ（例えば、ユーザーデータ）と詳細な受信品質情報）を送信する。基地局装置からのＬ１／Ｌ２グラントで割り当てられたＰＵＳＣＨのリソースで、非周期的な受信品質情報（もしくは、通常の上りリンクデータ（例えば、ユーザーデータ）と受信品質情報）を送信するかどうかの判断は、例えば、１ビットの情報によって示すことができる。例えば、基地局装置から送信されるＬ１／Ｌ２グラントに１ビットの情報を含めて送信し、その情報が“１”を示していた場合、移動局装置は非周期的な受信品質情報（もしくは、通常の上りリンクデータ（例えば、ユーザーデータ）と受信品質情報）を送信する。基地局装置から送信されるＬ１／Ｌ２グラントに１ビットの情報を含めて送信することによって、基地局装置が、移動局装置からの詳細な受信品質情報の送信を柔軟に制御し、より緻密で効率的な基地局装置、移動局装置間の通信制御（スケジューリング）を実現しようとする提案である。
【非特許文献１】“ＣＱＩ  Ｔｒｉｇｇｅｒ  Ｍｅｃｈａｎｉｓｍ”、３ＧＰＰ、ＴＳＧ  ＲＡＮ  ＷＧ１  Ｍｅｅｔｉｎｇ  ＃５０ｂｉｓ、Ｒ１−０７４３５３、２００７年１０月
【発明の開示】
【発明が解決しようとする課題】
【００１２】
しかしながら従来の技術では、移動局装置は、詳細な受信品質情報を送信するために使用するＰＵＳＣＨのリソースを、いつ（どのサブフレームで）割り当てられるのかを知ることができなかった。移動局装置は、基地局装置から非周期的な受信品質情報の送信要求（例えば、１ビットで表される）を含んだＬ１／Ｌ２グラントが送信されると、すぐに（もしくは仕様等で決められた固定値で）詳細な受信品質情報を基地局装置に送信しなければならなかった。
【００１３】
移動局装置にて行なわれる受信品質の測定の例について図８を用いて説明する。図８は、下りリンクの情報に対する受信品質情報の測定を説明する例を示す図である。図８において、縦軸は時間、横軸は周波数を示している。図８に示すように、基地局装置から下りリンクの情報を受信した移動局装置は、受信した信号の中から、参照信号（図中の黒い部分）を取り出すことで受信品質の測定を行なうことができる。
【００１４】
この参照信号は、基地局装置と移動局装置との間で予め決められている信号である。移動局装置は、この参照信号が予め決められていた値からどの程度劣化しているかを測定することにより、受信品質の測定を行なう。移動局装置は、全帯域もしくは広帯域の周波数帯域をある領域ごとに分割し（例えば、ブロックＡの領域）、その領域に対する受信品質の測定を行なうことで、各周波数領域に対する詳細な受信品質情報を基地局装置に送信することができる。図８では、例えば、周波数軸方向に４、時間軸方向に７の大きさを持ったブロックの領域ごとの受信品質を測定していることを示している。
【００１５】
ここで、移動局装置が、十分な精度を保って詳細な受信品質の測定を行なうためには、ある程度の測定時間（積分時間が必要）となる。例を挙げて説明すると、移動局装置が、図８のブロックＡで示される領域に対して受信品質情報を測定しようとすると、周波数方向に４、時間軸方向に７の大きさを持ったブロック（リソースブロック）に含まれる４個の参照信号から受信品質を測定することになる。受信品質を測定するための積分時間として、例えば、時間軸方向に２１の大きさを持ったブロック（リソースブロック）に対する受信品質を測定すれば、移動局装置は、周波数方向に４、時間軸方向に２１の大きさを持ったブロックに含まれる１２個の参照信号から受信品質の測定を行なうことができ、信頼性の高い受信品質の測定を行なうことができる。すなわち、移動局装置から基地局装置に対して、十分な精度を保った詳細な受信品質情報を送信するためには、下りリンクで送信される情報に対する受信品質を測定するための時間（積分時間）が必要となる。
【００１６】
以上説明したように、従来の技術では、移動局装置が、基地局装置からの非周期的な受信品質情報の送信要求を含んだＬ１／Ｌ２グラント受信すると、すぐに（もしくは仕様等で決められた固定値で）受信品質情報を送信しなければならないために、十分な精度を保った受信品質を測定するための時間（積分時間）を得ることができないという問題があった。このため、移動局装置は、基地局装置からの非周期的な受信品質情報の送信要求に対して、信頼性の低い受信品質情報を送信してしまう。
【００１７】
基地局装置は移動局装置からの受信品質情報に基づいて、下りリンクで送信する情報に適応変調符号化や周波数選択スケジューリングの処理を施す。移動局装置から送信される受信品質情報に十分な精度（信頼性）を保つことができないと、基地局装置は現在の伝搬路の状況に適さない適応変調符号化や周波数選択スケジューリングの処理を施すことになってしまい、結果として、非効率な基地局装置、移動局装置間の通信制御（スケジューリング）を行なってしまうことになる。
【００１８】
本発明は、このような事情に鑑みてなされたものであり、移動局装置が、非周期的に受信品質情報を送信する際に、下りリンクで送信される情報に対する受信品質を測定するための時間（積分時間）を十分に確保し、信頼性の高い受信品質情報を基地局装置に対して送信することによって、基地局装置が、現在の伝搬路の状況に適した効率的な基地局装置、移動局装置間の通信制御（スケジューリング）を行なうことができる移動通信システム、基地局装置および移動局装置を提供することを目的とする。
【課題を解決するための手段】
【００１９】
（１）上記の目的を達成するために、本発明は、以下のような手段を講じた。すなわち、本発明の移動通信システムは、移動局装置が、基地局装置から受信した信号の受信品質を測定し、受信品質情報を前記基地局装置へ送信する移動通信システムであって、基地局装置は、受信品質情報を非周期的なタイミングで送信する旨を移動局装置に対して指示する送信タイミング遅延情報を、上りリンクデータ送信許可信号に含めて移動局装置へ送信し、前記移動局装置は、前記送信タイミング遅延情報を含む上りリンクデータ送信許可信号を前記基地局装置から受信した場合は、前記送信タイミング遅延情報により指示されたタイミングで、受信品質情報を前記基地局装置へ送信することを特徴としている。
【００２０】
このように、基地局装置は、受信品質情報を非周期的なタイミングで送信する旨を移動局装置に対して指示する送信タイミング遅延情報を、上りリンクデータ送信許可信号に含めて移動局装置へ送信するので、移動局装置は、詳細な受信品質情報を測定するための時間（積分時間）を十分に確保することができる。これにより、信頼性の高い受信品質情報を基地局装置に送信することができる。その結果、基地局装置は、移動局装置から送信される信頼性の高い受信品質情報に基づいて、下りリンクで送信する情報に適用変調符号化や周波数選択スケジューリングの処理を施すことができ、通信時の伝搬路の状況に適した効率的な通信制御（スケジューリング）を行なうことが可能となる。また、送信タイミング遅延情報を上りリンクデータ送信許可信号に含めて送信するので、基地局装置が行なう通信制御（スケジューリング）を柔軟に行なうことができる。すなわち、基地局装置が下りリンクを使用して送信できる「上りリンクデータ送信許可信号」は、他の移動局装置に対する「上りリンクデータ送信許可信号」の使用状況によって制限される。このため、１サブフレームで送信できる「上りリンクデータ送信許可信号」の制限を考慮した通信制御（スケジューリング）を行なうことが可能となる。
【００２１】
（２）また、本発明の移動通信システムにおいて、前記基地局装置は、前記上りリンクデータ送信許可信号により、前記受信品質情報と同じタイミングで上りリンクデータを送信する旨を前記移動局装置に対して指示し、前記移動局装置は、前記送信タイミング遅延情報を含む上りリンクデータ送信許可信号を前記基地局装置から受信した場合は、前記受信品質情報と同じタイミングで、上りリンクデータを前記基地局装置へ送信することを特徴としている。
【００２２】
このように、基地局装置は、受信品質情報と同じタイミングで上りリンクデータを送信する旨を移動局装置に対して指示するので、基地局装置は、移動局装置に対して、受信品質情報と共に、上りリンクデータの送信タイミングを制御することが可能となる。
【００２３】
（３）また、本発明の移動通信システムにおいて、前記基地局装置は、前記上りリンクデータ送信許可信号により、前記受信品質情報と異なるタイミングで上りリンクデータを送信する旨を前記移動局装置に対して指示し、前記移動局装置は、前記送信タイミング遅延情報を含む上りリンクデータ送信許可信号を前記基地局装置から受信した場合は、前記受信品質情報と異なるタイミングで、上りリンクデータを前記基地局装置へ送信することを特徴としている。
【００２４】
このように、基地局装置は、受信品質情報と異なるタイミングで上りリンクデータを送信する旨を移動局装置に対して指示するので、基地局装置は、移動局装置に対して、受信品質情報と共に、上りリンクデータの送信タイミングを制御することが可能となる。
【００２５】
（４）また、本発明の移動通信システムにおいて、前記基地局装置は、前記上りリンクデータ送信許可信号により、上りリンクデータを前記上りリンクデータ送信許可信号を受信したタイミングで送信する旨および受信品質情報を前記送信タイミング遅延情報により指示したタイミングで送信する旨を前記移動局装置に対して指示し、前記移動局装置は、前記上りリンクデータ送信許可信号を前記基地局装置から受信した場合は、前記上りリンクデータ送信許可信号を受信したタイミングで、上りリンクデータを前記基地局装置へ送信すると共に、前記送信タイミング遅延情報により指示されたタイミングで受信品質情報を前記基地局装置へ送信することを特徴としている。
【００２６】
このように、基地局装置は、上りリンクデータを、上りリンクデータ送信許可信号を受信したタイミングで送信する旨および受信品質情報を、送信タイミング遅延情報により指示したタイミングで送信する旨を移動局装置に対して指示するので、移動局装置から送信される上りリンクデータに遅延を発生させることなく、基地局装置からの上りリンクデータに対する送信要求に対して迅速に対応することができる。
【００２７】
（５）また、本発明の基地局装置は、移動局装置に対して、受信品質情報の送信動作を制御する基地局装置であって、移動局装置が生成する受信品質情報を非周期的なタイミングで送信する旨を前記移動局装置に対して指示する送信タイミング遅延情報、および上りリンクデータ送信許可信号を入力し、前記送信タイミング遅延情報を上りリンクデータ送信許可信号に含めるスケジューリングを行なうスケジューラ部と、前記送信タイミング遅延情報を含む上りリンクデータ送信許可信号を前記移動局装置に対して送信する送信部と、を備えることを特徴としている。
【００２８】
このように、移動局装置が生成する受信品質情報を非周期的なタイミングで送信する旨を、移動局装置に対して指示するので、移動局装置は、詳細な受信品質情報を測定するための時間（積分時間）を十分に確保することができる。これにより、移動局装置から、信頼性の高い受信品質情報を得ることができる。その結果、移動局装置から送信される信頼性の高い受信品質情報に基づいて、下りリンクで送信する情報に適用変調符号化や周波数選択スケジューリングの処理を施すことができ、通信時の伝搬路の状況に適した効率的な通信制御（スケジューリング）を行なうことが可能となる。また、送信タイミング遅延情報を上りリンクデータ送信許可信号に含めて送信するので、通信制御（スケジューリング）を柔軟に行なうことができる。すなわち、基地局装置が下りリンクを使用して送信できる「上りリンク送信許可信号」は、他の移動局装置に対する「上りリンク送信許可信号」の使用状況によって制限される。このため、１サブフレームで送信できる「上りリンク送信許可信号」の制限を考慮した通信制御（スケジューリング）を行なうことが可能となる。
【００２９】
（６）また、本発明の基地局装置において、前記スケジューラ部は、前記上りリンクデータ送信許可信号により、前記受信品質情報と同じタイミングで上りリンクデータを送信する旨を前記移動局装置に対して指示するスケジューリングを行なうことを特徴としている。
【００３０】
このように、スケジューラ部が、受信品質情報と同じタイミングで上りリンクデータを送信する旨を移動局装置に対して指示するので、基地局装置は、移動局装置に対して、受信品質情報と共に、上りリンクデータの送信タイミングを制御することが可能となる。
【００３１】
（７）また、本発明の基地局装置において、前記スケジューラ部は、前記上りリンクデータ送信許可信号により、前記受信品質情報と異なるタイミングで上りリンクデータを送信する旨を前記移動局装置に対して指示するスケジューリングを行なうことを特徴としている。
【００３２】
このように、スケジューラ部が、受信品質情報と異なるタイミングで上りリンクデータを送信する旨を移動局装置に対して指示するので、基地局装置は、移動局装置に対して、受信品質情報と共に、上りリンクデータの送信タイミングを制御することが可能となる。
【００３３】
（８）また、本発明の基地局装置において、前記スケジューラ部は、前記上りリンクデータ送信許可信号により、上りリンクデータを前記上りリンクデータ送信許可信号を受信したタイミングで送信する旨および受信品質情報を前記送信タイミング遅延情報により指示したタイミングで送信する旨を前記移動局装置に対して指示するスケジューリングを行なうことを特徴としている。
【００３４】
このように、スケジューラ部が、上りリンクデータを、上りリンクデータ送信許可信号を受信したタイミングで送信する旨および受信品質情報を、送信タイミング遅延情報により指示したタイミングで送信する旨を移動局装置に対して指示するので、移動局装置から送信される上りリンクデータに遅延を発生させることなく、基地局装置からの上りリンクデータに対する送信要求に対して迅速に対応することができる。
【００３５】
（９）また、本発明の移動局装置は、基地局装置から受信した信号の受信品質を測定し、受信品質情報を前記基地局装置へ送信する移動局装置であって、受信品質情報を非周期的なタイミングで送信する旨を指示する送信タイミング遅延情報を含む上りリンクデータ送信許可信号を前記基地局装置から受信部と、前記受信部が、前記送信タイミング遅延情報を含む上りリンクデータ送信許可信号を受信した場合、前記送信タイミング遅延情報により指示されたタイミングで、受信品質情報を前記基地局装置へ送信する送信部と、を備えることを特徴としている。
【００３６】
このように、送信タイミング遅延情報により指示されたタイミングで、受信品質情報を基地局装置へ送信するので、移動局装置は、詳細な受信品質情報を測定するための時間（積分時間）を十分に確保することができる。これにより、信頼性の高い受信品質情報を基地局装置に送信することができる。その結果、基地局装置は、移動局装置から送信される信頼性の高い受信品質情報に基づいて、下りリンクで送信する情報に適用変調符号化や周波数選択スケジューリングの処理を施すことができ、通信時の伝搬路の状況に適した効率的な通信制御（スケジューリング）を行なうことが可能となる。
【００３７】
（１０）また、本発明の移動局装置において、前記送信部は、前記受信部が、前記送信タイミング遅延情報を含む上りリンクデータ送信許可信号を前記基地局装置から受信した場合は、前記受信品質情報と同じタイミングで、上りリンクデータを前記基地局装置へ送信することを特徴としている。
【００３８】
このように、受信品質情報と同じタイミングで、上りリンクデータを基地局装置へ送信するので、基地局装置は、移動局装置に対して、受信品質情報と共に、上りリンクデータの送信タイミングを制御することが可能となる。
【００３９】
（１１）また、本発明の移動局装置において、前記送信部は、前記受信部が、前記送信タイミング遅延情報を含む上りリンクデータ送信許可信号を前記基地局装置から受信した場合は、前記受信品質情報と異なるタイミングで、上りリンクデータを前記基地局装置へ送信することを特徴としている。
【００４０】
このように、受信品質情報と異なるタイミングで、上りリンクデータを基地局装置へ送信するので、基地局装置は、移動局装置に対して、受信品質情報と共に、上りリンクデータの送信タイミングを制御することが可能となる。
【００４１】
（１２）また、本発明の移動局装置において、前記送信部は、前記受信部が、前記上りリンクデータ送信許可信号を前記基地局装置から受信した場合は、前記上りリンクデータ送信許可信号を受信したタイミングで、上りリンクデータを前記基地局装置へ送信すると共に、前記送信タイミング遅延情報により指示されたタイミングで受信品質情報を前記基地局装置へ送信することを特徴としている。
【００４２】
このように、上りリンクデータ送信許可信号を受信したタイミングで、上りリンクデータを基地局装置へ送信すると共に、送信タイミング遅延情報により指示されたタイミングで受信品質情報を基地局装置へ送信するので、送信する上りリンクデータに遅延を発生させることなく、基地局装置からの上りリンクデータに対する送信要求に対して迅速に対応することができる。
【発明の効果】
【００４３】
本発明によれば、基地局装置は、受信品質情報を非周期的なタイミングで送信する旨を移動局装置に対して指示する送信タイミング遅延情報を、上りリンクデータ送信許可信号に含めて移動局装置へ送信するので、移動局装置は、詳細な受信品質情報を測定するための時間（積分時間）を十分に確保することができる。これにより、信頼性の高い受信品質情報を基地局装置に送信することができる。その結果、基地局装置は、移動局装置から送信される信頼性の高い受信品質情報に基づいて、下りリンクで送信する情報に適用変調符号化や周波数選択スケジューリングの処理を施すことができ、通信時の伝搬路の状況に適した効率的な通信制御（スケジューリング）を行なうことが可能となる。また、送信タイミング遅延情報を上りリンクデータ送信許可信号に含めて送信するので、基地局装置が行なう通信制御（スケジューリング）を柔軟に行なうことができる。すなわち、基地局装置が下りリンクを使用して送信できる「上りリンクデータ送信許可信号」は、他の移動局装置に対する「上りリンクデータ送信許可信号」の使用状況によって制限される。このため、１サブフレームで送信できる「上りリンクデータ送信許可信号」の制限を考慮した通信制御（スケジューリング）を行なうことが可能となる。
【発明を実施するための最良の形態】
【００４４】
次に、本発明の実施形態について、図面を参照しながら説明する。
（第１の実施形態）
まず始めに、本発明の第１の実施形態に係る移動通信システムについて説明する。この移動通信システムは、基地局装置１００と移動局装置２００とから構成される。図１は、本発明の第１の実施形態に係る基地局装置１００の概略構成を示すブロック図である。基地局装置１００は、データ制御部１０１、変調符号化部１０２、マッピング部１０３、逆高速フーリエ変換（ＩＦＦＴ）部１０４、無線送信部１０５、無線受信部１０６、高速フーリエ変換（ＦＦＴ）部１０７、復調復号化部１０８、データ抽出部１０９、送信情報制御部１１０、並びに、アンテナ１１１を備えている。送信情報制御部１１０は、スケジューラ部１１２、変調符号制御部１１３および周波数選択スケジューラ部１１４を含んでいる。
【００４５】
なお、データ制御部１０１、変調符号化部１０２、マッピング部１０３、逆高速フーリエ変換（ＩＦＦＴ）部１０４および無線送信部１０５は送信部１２０を構成し、無線受信部１０６、高速フーリエ変換（ＦＦＴ）部１０７、復調復号化部１０８およびデータ抽出部１０９は受信部１３０を構成する。
【００４６】
基地局装置１００において、データ制御部１０１には、各移動局装置２００に送信される送信データと、制御データとが入力され、スケジューラ部１１２からの指示に従って、それぞれのデータが逐次移動局装置２００に送信される。変調符号化部１０２は、変調符号制御部１１３が決定した変調方式および符号化率に基づいて、データ制御部１０１から入力される信号に対して、変調処理や誤り訂正符号化処理を施し、各データをマッピング部１０３に出力する。マッピング部１０３は、周波数選択スケジューラ部１１４から入力される周波数選択スケジューリング情報に基づいて、変調符号化部１０２から入力されるデータを、各サブキャリア上にマッピングし、逆高速フーリエ変換部１０４に出力する。
【００４７】
逆高速フーリエ変換部１０４は、マッピング部１０３から入力されるデータに、逆高速フーリエ変換の処理を施し、時系列のベースバンドデジタル信号に変換し、無線送信部１０５に出力する。無線送信部１０５は、逆高速フーリエ変換部１０４から入力される信号をデジタル／アナログ変換し、送信に適した周波数にアップコンバートした後に、アンテナ１１１を介して、各移動局装置２００に送信する。
【００４８】
無線受信部１０６は、アンテナ１１１で受信した無線信号をアナログ／デジタル変換し、高速フーリエ変換部１０７に出力する。高速フーリエ変換部１０７は、無線受信部１０６から入力された信号に高速フーリエ変換を施し、サブキャリア毎のデータに分離し、図示しないデマッピング部に出力する。このデマッピング部は、各サブキャリアにマッピングされているデータを取り出し、復調復号化部１０８に出力する。復調符号化部１０８は、デマッピング部から入力されるデータに復調処理および誤り訂正復号処理を施し、誤り訂正復号後の受信データをデータ抽出部１０９に出力する。データ抽出部１０９は、復調復号化部１０８から入力される誤り訂正復号後の受信データから受信品質情報を抽出し、送信情報制御部１１０へ出力する。また、受信品質情報以外の受信データや制御データは、上位レイヤなどへ出力される。
【００４９】
スケジューラ部１１２は、各移動局装置２００が使用することのできるリソース領域、間欠送受信サイクル、送信データチャネルのフォーマット、バッファ状況などの制御情報に基づき、下りリンクのスケジューリング、上りリンクのスケジューリングを行なう。変調符号制御部１１３は、移動局装置２００から送信される受信品質情報に基づいて、各データに施す変調方式、符号化率を決定する。周波数選択スケジューラ部１１４は、移動局装置２００から送信される受信品質情報に基づいて、各データに施す周波数選択スケジューリングの処理を行なう。
【００５０】
図２は、本発明の第１の実施形態に係る移動局装置２００の概略構成を示すブロック図である。移動局装置２００は、データ制御部２０１、変調符号化部２０２、マッピング部２０３、逆高速フーリエ変換（ＩＦＦＴ）部２０４、無線送信部２０５、無線受信部２０６、高速フーリエ変換（ＦＦＴ）部２０７、復調復号化部２０８、データ抽出部２０９、受信品質情報制御部２１０、並びに、アンテナ２１１を備えている。受信品質情報制御部２１０は、受信品質情報生成部２１２および受信品質測定部２１３を備えている。なお、データ制御部２０１、変調符号化部２０２、マッピング部２０３、逆高速フーリエ変換（ＩＦＦＴ）部２０４、無線送信部２０５は送信部２２０を構成し、無線受信部２０６、高速フーリエ変換（ＦＦＴ）部２０７、復調復号化部２０８およびデータ抽出部２０９は、受信部２３０を構成する。
【００５１】
移動局装置２００において、データ制御部２０１には、基地局装置１００に送信される送信データと、制御データとが入力され、それぞれのデータが逐次基地局装置１００に送信される。変調符号化部２０２は、データ制御部２０１から出力される信号に変調処理や誤り訂正符号化処理を施し、各データをマッピング部２０３に出力する。マッピング部２０３は、変調符号化部２０２から出力されるデータを、各サブキャリア上にマッピングし、逆高速フーリエ変換部２０４に出力する。上記で示したように、３ＧＰＰ（3rd Generation Partnership Project）では、移動局装置からの上りリンクで送信される情報の通信方式として、ＤＦＴ（Discrete Fourier Transform）−ｓｐｒｅａｄ−ＯＦＤＭ方式によるシングルキャリア通信方式が提案されている。
【００５２】
逆高速フーリエ変換部２０４は、マッピング部２０３から入力されるシンボル系列に逆高速フーリエ変換の処理を施し、時系列のベースバンドデジタル信号に変換し、無線送信部２０５に出力する。無線送信部２０５は、逆高速フーリエ変換部２０４から入力される信号をデジタル／アナログ変換し、送信に適した周波数にアップコンバートした後に、アンテナ２１１を介して、基地局装置１００に送信する。
【００５３】
無線受信部２０６は、アンテナ２１１から受信した無線信号をアナログ／デジタル変換し、高速フーリエ変換部２０７に出力する。高速フーリエ変換部２０７は、無線受信部２０６から入力された信号に高速フーリエ変換を施し、サブキャリア毎のデータに分離し、不図示のデマッピング部に出力する。このデマッピング部は、各サブキャリアにマッピングされているデータを取り出し、復調復号化部２０８に送信する。復調符号化部２０８は、デマッピング部から入力されるデータに復調処理および誤り訂正復号処理を施し、誤り訂正復号後の受信データをデータ抽出部２０９に出力する。データ抽出部２０９は、復調復号化部２０８から入力される誤り訂正復号後のデータから、上りリンクデータの送信形式が指定される制御情報を抽出し、受信品質情報制御部２１０に出力する。また、制御情報以外の受信データや制御データは、上位レイヤなどに出力される。
【００５４】
受信品質測定部２１３は、基地局装置１００から受信する信号の受信品質を測定する。受信品質情報生成部２１２は、受信品質測定部２１３によって測定された情報に基づいて、基地局装置１００に送信する受信品質情報を生成する。
【００５５】
図３は、本発明の第１の実施形態に係る基地局装置から移動局装置に送信される制御信号（Ｌ１／Ｌ２グラント）、移動局装置から基地局装置に送信される受信品質情報を概念的に示す図である。本発明の第１の実施形態では、基地局装置が、受信品質情報の送信タイミングを指定する送信タイミング遅延情報を含んだＬ１／Ｌ２グラント（以下、遅延型Ｌ１／Ｌ２グラントとも呼ぶ）を送信し、この信号を受信した移動局装置は、送信タイミング遅延情報で指定された送信タイミングで詳細な受信品質情報を非周期的に送信する。
図３の#subframe３、#subframe６の動作について説明する。#subframe３で基地局装置は、受信品質情報を非周期的に送信させるための制御信号（Ｌ１／Ｌ２グラント）に、受信品質情報を送信するタイミングを指定する送信タイミング遅延情報を含めて送信する。
【００５６】
ここで、基地局装置が、移動局装置に対して非周期的に受信品質情報を送信させるための設定は、例えば、１ビットの情報を用いて行なうことができる。基地局装置は、１ビットの情報を含んだＬ１／Ｌ２グラントを送信し、例えば、その情報が“１”を示していた場合、移動局装置は予め設定された送信フォーマットで非周期的に受信品質情報（もしくは、通常の上りリンクデータ（例えば、ユーザーデータ）と受信品質情報）を送信する。
【００５７】
以下、基地局装置が、Ｌ１／Ｌ２グラントに１ビットの情報を含めて非周期的な受信品質情報を送信させるための指定（要求）を行うように記載するが、非周期的に受信品質情報を送信させるための指定（要求）であれば、どのような方法でもよく、例えば、Ｌ１／Ｌ２グラントに含まれる他の情報（ＭＣＳ(Modulation and coding scheme)やトランスポートフォーマットインデックスなど）を用いて、特別なＬ１／Ｌ２グラントを定義し、移動局装置に対して非周期的に受信品質情報を送信するように設定しても良い。例えば、基地局装置は、Ｌ１／Ｌ２グラントに含まれるＭＣＳを０に設定することにより、移動局装置に対して非周期的に受信品質情報を送信するように指定（要求）することができる。
【００５８】
図３に戻り、#subframe３で、基地局装置は、受信品質情報を送信するタイミングを指定する送信タイミング遅延情報を含んだＬ１／Ｌ２グラント（遅延型Ｌ１／Ｌ２グラント）を送信する。この信号を受信した移動局装置は、すぐに（もしくは仕様等で決められた固定値で）は受信品質情報を送信せずに、送信タイミング遅延情報で指定されたサブフレームで詳細な受信品質情報を送信する。図３では、例として、基地局装置が、遅延時間：３サブフレームと設定した送信タイミング遅延情報を含んだ遅延型Ｌ１／Ｌ２グラントを送信し、この信号を受信した移動局装置が、送信タイミング遅延情報で指定されたサブフレーム（遅延型Ｌ１／Ｌ２グラントを受信した#subframe３＋３サブフレーム、すなわち、#subframe６）で詳細な受信品質情報を送信していることを示している。
【００５９】
移動局装置は、#subframe３で遅延型Ｌ１／Ｌ２グラントを受信したタイミングから下りリンクで送信される情報に対する詳細な受信品質の測定を開始し、#subframe６で受信品質情報を基地局装置に送信するまで測定を継続することができる。すなわち、基地局装置から遅延型Ｌ１／Ｌ２グラントを受信した時点から、遅延型Ｌ１／Ｌ２グラントに含まれる送信タイミング遅延情報で指定された時間までの期間が、詳細な受信品質を測定するための時間（積分時間）となり、移動局装置が、信頼性の高い受信品質情報を算出できる十分な時間を確保することができる。
【００６０】
本発明の第１の実施形態では、#subframe６で移動局装置から上りリンクを使用して送信される情報は、受信品質情報だけでなく、受信品質情報と通常の上りリンクデータ（例えば、ユーザーデータ）が同時に送信されていても良い。基地局装置からの遅延型Ｌ１／Ｌ２グラントを受信した移動局装置は、送信タイミング遅延情報で指定されたサブフレームで受信品質情報と上りリンクデータを同時に送信することができる。
【００６１】
基地局装置は、#subframe３で遅延型Ｌ１／Ｌ２グラントを用いて詳細な受信品質情報を送信するためのＰＵＳＣＨのリソースを割り当てる。この信号を受信した移動局装置は、#subframe６で割り当てられたＰＵＳＣＨのリソースを使用して、詳細な受信品質情報報、もしくは、詳細な受信品質情報と上りリンクデータを送信する。基地局装置は、#subframe６で遅延型Ｌ１／Ｌ２グラントを用いて割り当てたＰＵＳＣＨのリソースで情報が送信されてくることが事前に分かるために、そのリソースを他の移動局装置に割り当てることはしない。
【００６２】
図３で、#subframe３のＬ１／Ｌ２グラントが黒塗りで示されているのはこのサブフレームで基地局装置が遅延型Ｌ１／Ｌ２グラントを送信していることを示し、#subframe６の受信品質情報が格子模様で示されているのは、移動局装置がこのサブフレームで詳細な受信品質情報を非周期的に送信していることを示している。
【００６３】
図４は、本発明の第１の実施形態に係る基地局装置から移動局装置に送信される制御信号（Ｌ１／Ｌ２グラント）、基地局装置が、移動局装置に対して周期的に送信するように指定した受信品質情報、上りリンクを使用して送信される情報（上りリンクデータと周期的、非周期的に送信される受信品質情報）の送信形態、および、各サブフレームに対応した処理を示す図である。図４では、例として、#subframe１〜#subframe１７までの動作を示している。図４では、移動局装置は、基地局装置からの遅延型Ｌ１／Ｌ２グラントにより、上りリンクデータと詳細な受信品質情報を同時に送信していることを示している。
【００６４】
ここで、基地局装置が、移動局装置に対して周期的に送信するように指定した受信品質情報とは、基地局装置が、受信品質情報を送信するためのリソースを長期的に割り当て（パーシステントに割り当てるとも呼ばれる）、移動局装置が、割り当てられたリソースを使用して周期的に送信する受信品質情報のことを示している。基地局装置が、長期的に割り当てるリソースはＰＵＳＣＨ、ＰＵＣＣＨどちらのリソースであってもよい。基地局装置は、移動局装置が周期的に受信品質情報を送信するためのリソースを、例えば、#subframe１でＲＲＣシグナリングを用いて割り当てることができる。また、基地局装置は、移動局装置が周期的に受信品質情報を送信する際の送信フォーマット、および/もしくは、非周期的に受信品質情報を送信する際の送信フォーマットを、#subframe１で、例えば、ＲＲＣシグナリングを用いて設定することができる。
【００６５】
図４で示される各サブフレームでの動作について説明する。#subframe１で基地局装置は、移動局装置が受信品質情報を周期的に送信するために使用する長期的なリソースの割り当てを行なう。ここで割り当てられるリソースはＰＵＳＣＨのリソースでもＰＵＣＣＨのリソースでもどちらでも良い。ここでは、長期的なリソースの割り当てとして、周期的に受信品質情報を送信するインターバルを３サブフレームに設定したとする。基地局装置は、何サブフレーム目から３サブフレームごとに周期的な受信品質情報を送信するかのオフセットを設定することもできる。移動局装置は、割り当てられたリソースを使用して周期的に（３サブフレームごとに）受信品質情報を送信する。基地局装置からの周期的な受信品質情報を送信するためのリソース割り当ては、ＲＲＣシグナリングを用いて行なわれる。
【００６６】
#subframe４で基地局装置は、非周期的に詳細な受信品質情報の送信を要求（許可）するための遅延型Ｌ１／Ｌ２グラントを移動局装置に送信する。ここでは、遅延時間：３サブフレームと設定した送信タイミング遅延情報を含んだ遅延型Ｌ１／Ｌ２グラントを送信したとする。この信号を受信した移動局装置は、送信タイミング遅延情報で指定されたサブフレーム（遅延型Ｌ１／Ｌ２グラントを受信した#subframe４＋３サブフレーム、すなわち、#subframe７）で、上りリンクデータと詳細な受信品質情報を送信する。移動局装置は、#subframe４で遅延型Ｌ１／Ｌ２グラントによって割り当てられたＰＵＳＣＨのリソースを使用して、#subframe７で上りリンクデータと詳細な受信品質情報を非周期的に送信することになる。
【００６７】
ここで、#subframe７は基地局装置から周期的に受信品質情報を送信するようにリソースを割り当てられたサブフレームである。#subframe４で遅延型Ｌ１／Ｌ２グラントを受信した移動局装置は、詳細な受信品質情報を遅延型Ｌ１／Ｌ２グラントによって割り当てられたリソースを使用して送信する。すなわち、ＲＲＣシグナリングで周期的な受信品質情報を送信するために割り当てられたリソースではなく、遅延型Ｌ１／Ｌ２グラントによって非周期的な受信品質情報を送信するために割り当てられたリソースを使用して受信品質情報を送信する。
【００６８】
移動局装置から送信される受信品質情報の送信フォーマットについても同様である。#subframe１で、基地局装置は周期的に受信品質情報を送信するための送信フォーマット（例えば、送信フォーマットＡ）と非周期的に受信品質情報を送信するための送信フォーマット（例えば、送信フォーマットＢ）を、ＲＲＣシグナリングを使用して設定したとする。#subframe４で基地局装置から遅延型Ｌ１／Ｌ２グラントを受信した移動局装置は、#subframe７で非周期的に受信品質情報を送信するための送信フォーマットＢを使用して詳細な受信品質情報を送信する。すなわち、周期的な受信品質情報を送信するために設定された送信フォーマットではなく、非周期的な受信品質情報を送信するために設定された送信フォーマットを使用して受信品質情報を送信する。
【００６９】
# subframe９、#subframe１１、および、# subframe１４、#subframe１６でも同様の処理が行なわれる。# subframe９、# subframe１４で基地局装置は、非周期的に詳細な受信品質情報の送信を要求（許可）するための遅延型Ｌ１／Ｌ２グラントを送信する。ここでは基地局装置は、遅延時間：２サブフレームと設定した送信タイミング遅延情報を含んだ遅延型Ｌ１／Ｌ２グラントを送信したとする。この信号を受信した移動局装置は、送信タイミング遅延情報で指定されたサブフレーム（遅延型Ｌ１／Ｌ２グラントを受信した#subframe９、#subframe１４＋２サブフレーム、すなわち、#subframe１１、#subframe１６）で、上りリンクデータと詳細な受信品質情報を送信する。移動局装置は、#subframe９、#subframe１４で遅延型Ｌ１／Ｌ２グラントによって割り当てられたＰＵＳＣＨのリソースを使用して、#subframe１１、#subframe１６で上りリンクデータと詳細な受信品質情報を基地局装置に送信する。
【００７０】
基地局装置は、# subframe４で遅延時間：３サブフレーム、# subframe９、および、# subframe１４で遅延時間：２サブフレームと設定した送信タイミング遅延情報を含んだ遅延型Ｌ１／Ｌ２グラントを送信したように、基地局装置自らが制御するセル内のトラフィック状況や、移動局装置の状況に応じて、遅延型Ｌ１／Ｌ２グラントに含まれる送信タイミング遅延情報を変更することができる。移動局装置の状況とは、例えば、移動局装置の移動速度や間欠送受信サイクル（パターン）のことである。また、基地局装置は周期的な受信品質情報を送信するために設定するインターバルに応じて、送信タイミング遅延情報を変更することができる。すなわち、移動局装置に対して周期的な受信品質情報を送信するインターバルを長く設定した場合は、送信タイミング遅延情報を長く設定することができ、インターバルを短く設定した場合は、送信タイミング遅延情報を短く設定することができる。
【００７１】
図４で示される処理について説明する。#subframe１で基地局装置は、移動局装置が周期的に受信品質情報を送信するために使用するＰＵＳＣＨ、および/もしくは、ＰＵＣＣＨの長期的なリソースの割り当てを行なう。ここでは、周期的に受信品質情報を送信するインターバルとして３サブフレームを設定したとする。また、#subframe１で基地局装置は、移動局装置が周期的に受信品質情報を送信するための送信フォーマット、および/もしくは、非周期的に受信品質情報を送信するための送信フォーマットの設定を行なう。周期的に受信品質情報を送信するための長期的なリソース割り当て、および、周期的、非周期的に受信品質情報を送信するための送信フォーマットの設定はＲＲＣシグナリングを用いて行なわれる。
【００７２】
#subframe４で基地局装置は、遅延型Ｌ１／Ｌ２グラントを送信する。ここでは、遅延時間：３サブフレームと設定した送信タイミング遅延情報を含んだ遅延型Ｌ１／Ｌ２グラントを送信したとする。この信号を受信した移動局装置は、送信タイミング遅延情報で設定されたサブフレーム（ここでは、#subframe７になる）で詳細な受信品質情報を送信できるよう、下りリンクで送信される情報に対する受信品質の測定を行なう。また、#subframe４は、基地局装置からのＲＲＣシグナリングによって、周期的な受信品質情報を送信するように設定されたサブフレームである。移動局装置は、基地局装置からのＲＲＣシグナリングで割り当てられたリソース、設定された送信フォーマットを使用して周期的な受信品質情報を基地局装置に送信する。
【００７３】
#subframe７で移動局装置は、#subframe４で送信された遅延型Ｌ１／Ｌ２グラントによって割り当てられたＰＵＳＣＨのリソースを使用して詳細な受信品質情報を非周期的に送信する。ここで、#subframe７は、基地局装置からのＲＲＣシグナリングによって、周期的な受信品質情報を送信するように設定されたサブフレームでもある。移動局装置は、ＲＲＣシグナリングで周期的な受信品質情報を送信するために割り当てられたリソース、設定された送信フォーマットを使用せずに、遅延型Ｌ１／Ｌ２グラントで割り当てられたリソース、ＲＲＣシグナリングで非周期的な受信品質情報を送信するために設定された送信フォーマットを使用して詳細な受信品質情報を送信する。
【００７４】
#subframe９で基地局装置は、遅延型Ｌ１／Ｌ２グラントを送信する。ここでは、遅延時間：２サブフレームと設定した送信タイミング遅延情報を含んだ遅延型Ｌ１／Ｌ２グラントを送信したとする。この信号を受信した移動局装置は、送信タイミング遅延情報で設定されたサブフレーム（ここでは、#subframe１１になる）で受信品質情報を送信できるよう、下りリンクで送信される情報に対する詳細な受信品質の測定が行なわれる。
【００７５】
#subframe１０で基地局装置は、通常のＬ１／Ｌ２グラントを送信する。通常のＬ１／Ｌ２グラントとは、基地局装置が、#subframe１で設定した送信フォーマットで送信される非周期的な受信品質情報を要求（許可）しないＬ１／Ｌ２グラントであり、例えば、Ｌ１／Ｌ２グラントに含まれる１ビットの情報を“０”にすることで設定される。#subframe１０は、基地局装置からのＲＲＣシグナリングにより、周期的な受信品質情報を送信するように設定されたサブフレームであるため、基地局装置からのＬ１／Ｌ２グラントを受信した移動局装置は、上りリンクデータと周期的な受信品質情報をＰＵＳＣＨのリソースを使用して基地局装置に送信する。
【００７６】
#subframe１１で移動局装置は、#subframe９で送信された遅延型Ｌ１／Ｌ２グラントで割り当てられたＰＵＳＣＨのリソースを使用して詳細な受信品質情報を非周期的に送信する。詳細な受信品質情報を非周期的に送信するために使用される送信フォーマットは、基地局装置からのＲＲＣシグナリングによって設定された送信フォーマットを使用する。
【００７７】
#subframe１３は、基地局装置からのＲＲＣシグナリングによって周期的な受信品質情報を送信するように設定されたサブフレームである。移動局装置は、ＲＲＣシグナリングによって割り当てられたリソース、送信フォーマットを使用して周期的な受信品質情報を基地局装置に送信する。
【００７８】
#subframe９と同様に、#subframe１４で基地局装置は、遅延時間：２サブフレームと設定した送信タイミング遅延情報を含んだ遅延型Ｌ１／Ｌ２グラントを送信したとする。この信号を受信した移動局装置は、送信タイミング遅延情報で設定されたサブフレーム（ここでは、#subframe１６になる）で受信品質情報を送信できるよう、下りリンクで送信される情報に対する詳細な受信品質の測定が行なわれる。
【００７９】
#subframe１６で移動局装置は、#subframe１４で送信された遅延型Ｌ１／Ｌ２グラントで割り当てられたＰＵＳＣＨのリソースを使用して詳細な受信品質情報を非周期的に送信する。#subframe７と同様に、#subframe１６は、基地局装置からのＲＲＣシグナリングによって、周期的な受信品質情報を送信するように設定されたサブフレームである。#subframe１６においても移動局装置は、ＲＲＣシグナリングで周期的な受信品質情報を送信するために割り当てられたリソース、周期的な受信品質情報を送信するために設定された送信フォーマットを使用せずに、遅延型Ｌ１／Ｌ２グラントで割り当てられたリソース、ＲＲＣシグナリングで非周期的な受信品質情報を送信するために設定された送信フォーマットを使用して受信品質情報を送信する。
【００８０】
図４の#subframe４、#subframe９、#subframe１４のＬ１／Ｌ２グラントが黒塗りで示されているのは、このサブフレームで基地局装置が遅延型Ｌ１／Ｌ２グラントを送信していることを示し、#subframe１０のＬ１／Ｌ２グラントが白抜きで示されているのは、このサブフレームで基地局装置が通常のＬ１／Ｌ２グラントを送信していることを示している。また、#subframe４、#subframe１３の送信形態（右側）が斜線で示されているのは、このサブフレームで移動局装置が周期的な受信品質情報を送信していることを示し、#subframe７、#subframe１１、#subframe１６の送信形態（右側、左側）がそれぞれ格子模様と点模様で示されているのは、このサブフレームで移動局装置が詳細な受信品質情報と上りリンクデータを非周期的に送信していることを示している。
【００８１】
また、#subframe１０の送信形態が（右側、左側）がそれぞれ斜線と点模様で示されているのは、このサブフレームで移動局装置が周期的な受信品質情報と上りリンクデータを送信していることを示している。
【００８２】
上記までで示したように、基地局装置が、受信品質情報の送信タイミングを指定する送信タイミング遅延情報を含んだ遅延型Ｌ１／Ｌ２グラントを送信し、この信号を受信した移動局装置が、送信タイミング遅延情報で指定された送信タイミングで、詳細な受信品質情報を非周期的に送信することにより、移動局装置が詳細な受信品質情報を測定するための時間（積分時間）を十分に確保することができ、信頼性の高い受信品質情報を基地局装置に送信することができる。そのため、基地局装置は、移動局装置からの信頼性の高い受信品質情報に基づいて、下りリンクで送信する情報に適応変調符号化や周波数選択スケジューリングの処理を施すことができ、現在の伝搬路の状況に適した緻密で効率的な通信制御（スケジューリング）を行なうことができる。
【００８３】
また、基地局装置から送信されるＬ１／Ｌ２グラントに送信タイミング遅延情報を含めて送信させることによって、基地局装置が行なう通信制御（スケジューリング）を柔軟に行なうことができる。基地局装置が下りリンクを使用して送信できるＬ１／Ｌ２グラントは、他の移動局装置に対するＬ１／Ｌ２グラントの使用状況によって制限されるため、１サブフレームで送信できるＬ１／Ｌ２グラントの制限を考慮した通信制御（スケジューリング）を行なうことができる。例えば、図３の#subframe７でＬ１／Ｌ２グラントの送信が制限されることが事前に分かる基地局装置は、#subframe４で遅延時間：３サブフレームを設定した送信タイミング遅延情報を含んだ遅延型Ｌ１／Ｌ２グラントを事前に移動局装置に送信しておくことができ、より柔軟性を持った基地局装置、移動局装置間の通信制御（スケジューリング）を実現することができる。
【００８４】
（第２の実施形態）
本発明の第２の実施形態について説明する。図５は、本発明の第２の実施形態に係る基地局装置から移動局装置に送信される制御信号（Ｌ１／Ｌ２グラント）、移動局装置から基地局装置に送信される上りリンクデータと受信品質情報を概念的に示す図である。本発明の第２の実施形態では、基地局装置が、受信品質情報の送信タイミングを指定する送信タイミング遅延情報を含んだ遅延型Ｌ１／Ｌ２グラントを送信し、この信号を受信した移動局装置は、遅延型Ｌ１／Ｌ２グラントが送信されたタイミングで上りリンクデータを送信し、送信タイミング遅延情報で指定された送信タイミングで非周期的に受信品質情報を送信する。
【００８５】
図５の#subframe３、#subframe６の動作について説明する。#subframe３で、基地局装置は、受信品質情報を非周期的に送信させるための制御信号（Ｌ１／Ｌ２グラント）に、移動局装置が受信品質情報を送信するタイミングを指定する送信タイミング遅延情報を含めて送信する。
【００８６】
本発明の第１の実施形態でも説明した通り、基地局装置が、移動局装置に対して非周期的に受信品質情報を送信させるための指定は、例えば、１ビットの情報を用いて行なうことができる。以下、第１の実施形態と同様に、基地局装置が、移動局装置に予め設定された送信フォーマットで非周期的に受信品質情報を送信させるための指定は、１ビットの情報を使用して行なうように記載するが、非周期的に受信品質情報を送信させるための指定であれば、どのような方法でもよく、例えば、Ｌ１／Ｌ２グラントに含まれる他の情報（ＭＣＳ(Modulation and coding scheme)やトランスポートフォーマットインデックスなど）を用いて、特別なＬ１／Ｌ２グラントのフォーマットを定義し、移動局装置に対して非周期的に受信品質情報を送信するように設定しても良い。例えば、基地局装置は、Ｌ１／Ｌ２グラントに含まれるＭＣＳを０に設定することにより、移動局装置に対して非周期的に受信品質情報を送信するように指定（要求）することができる。
【００８７】
図５に戻り、#subframe３で、基地局装置は、受信品質情報を送信するタイミングを指定する送信タイミング遅延情報を含んだＬ１／Ｌ２グラント（遅延型Ｌ１／Ｌ２グラント）を送信する。この信号を受信した移動局装置は、遅延型Ｌ１／Ｌ２グラントが送信されたタイミング（もしくは仕様等で決められた固定値）で、上りリンクデータを送信し、送信タイミング遅延情報で指定されたタイミング（サブフレーム）で詳細な受信品質情報を送信する。図３では、例として、基地局装置が、遅延時間：３サブフレームと設定した送信タイミング遅延情報を含んだ遅延型Ｌ１／Ｌ２グラントを送信し、この信号を受信した移動局装置が、#subframe３で上りリンクデータを、送信タイミング遅延情報で指定されたサブフレーム（遅延型Ｌ１／Ｌ２グラントを受信した#subframe３＋３サブフレーム、すなわち、#subframe６）で詳細な受信品質情報を送信していることを示している。
【００８８】
本発明の第２の実施形態では、移動局装置は遅延型Ｌ１／Ｌ２グラントを受信したタイミングで通常の上りリンクデータの送信を行ない、送信タイミング遅延情報で指定されたタイミングで詳細な受信品質情報の送信を行なう。これにより、移動局装置から送信される上りリンクデータに遅延を発生させることなく、基地局装置からの上りリンクデータに対する送信要求に迅速に対応することができる。
【００８９】
ここで、#subframe３、および、#subframe６で移動局装置が上りリンクデータ、受信品質情報を送信するために使用されるリソースは、遅延型Ｌ１／Ｌ２グラントで割り当てられた同じＰＵＳＣＨのリソースを使用する。すなわち、基地局装置からの遅延型Ｌ１／Ｌ２グラントによって、“Ａ”というＰＵＳＣＨのリソースが割り当てられたとすると、移動局装置は#subframe３でリソース“Ａ”を使用して上りリンクデータを送信し、#subframe６で同じリソース“Ａ”を使用して受信品質情報を送信することになる。
【００９０】
図５で、#subframe３のＬ１／Ｌ２グラントが黒塗りで示されているのはこのサブフレームで基地局装置が遅延型Ｌ１／Ｌ２グラントを送信していることを示し、#subframe３の上りリンクと受信品質情報の左側（上りリンクデータ側）が点模様で示されているのは、移動局装置がこのサブフレームで上りリンクデータを送信し、#subframe６の上りリンクと受信品質情報の右側（受信品質情報側）が格子模様で示されているのは、移動局装置がこのサブフレームで詳細な受信品質情報を非周期的に送信していることを示している。
【００９１】
図６は、本発明の第２の実施形態に係る基地局装置から移動局装置に送信される制御信号（Ｌ１／Ｌ２グラント）、基地局装置が、移動局装置に対して周期的に送信するように指定した受信品質情報、上りリンクを使用して送信される情報（上りリンクデータと周期的、非周期的に送信される受信品質情報）の送信形態、および、各サブフレームに対応した処理について示す図である。図６では、例として、#subframe１〜#subframe１７までの動作を示している。
【００９２】
本発明の第１の実施形態と異なる点は、移動局装置が、遅延型Ｌ１／Ｌ２グラントが送信されたタイミングで上りリンクデータを送信し、送信タイミング遅延情報で指定されたタイミングで詳細な受信品質情報を非周期的に送信している点である。本発明の第１の実施形態でも説明した通り、基地局装置が周期的に送信するように指定した受信品質情報とは、基地局装置が、受信品質情報を送信するためのＰＵＳＣＨ、および/もしくは、ＰＵＣＣＨのリソースを長期的に割り当て、移動局装置が、割り当てられたリソースを使用して送信する受信品質情報のことを示している。基地局装置は、移動局装置が周期的に受信品質情報を送信するためのリソースを、例えば、#subframe１でＲＲＣシグナリングを用いて割り当てることができる。また、基地局装置は、移動局装置が周期的に受信品質情報を送信する際の送信フォーマット、および/もしくは、非周期的に受信品質情報を送信する際の送信フォーマットを、#subframe１で、例えば、ＲＲＣシグナリングを用いて設定することができる。
【００９３】
図６で示される各サブフレームでの動作について説明する。#subframe１で基地局装置は、移動局装置が周期的に受信品質情報を送信するために使用するＰＵＳＣＨ、および／もしくは、ＰＵＣＣＨの長期的なリソースの割り当てを行なう。ここでは、周期的に受信品質情報を送信するインターバルとして３サブフレームを設定したとする。また、#subframe１で基地局装置は、移動局装置が周期的に受信品質情報を送信するための送信フォーマット、非周期的に受信品質情報を送信するための送信フォーマットの設定を行なう。周期的に受信品質情報を送信するための長期的なリソース割り当て、および、周期的、非周期的に受信品質情報を送信するための送信フォーマットの設定はＲＲＣシグナリングを用いて行なわれる。
【００９４】
#subframe４で基地局装置は、非周期的に詳細な受信品質情報の送信を要求（許可）するための遅延型Ｌ１／Ｌ２グラントを移動局装置に送信する。ここでは、遅延時間：３サブフレームと設定した送信タイミング遅延情報を含んだ遅延型Ｌ１／Ｌ２グラントを送信したとする。この信号を受信した移動局装置は、遅延型Ｌ１／Ｌ２グラントを受信したタイミング（#subframe４、もしくは仕様等で決められた固定値）で上りリンクデータを送信し、送信タイミング遅延情報で指定されたサブフレーム（遅延型Ｌ１／Ｌ２グラントを受信した#subframe４＋３サブフレーム、すなわち、#subframe７）で詳細な受信品質情報を送信する。移動局装置は、遅延型Ｌ１／Ｌ２グラントによって割り当てられたＰＵＳＣＨのリソースを使用して、#subframe４で上りリンクデータを、#subframe７で詳細な受信品質情報を非周期的に送信することになる。
【００９５】
#subframe４は基地局装置から周期的に受信品質情報を送信するようにリソースを割り当てられたサブフレームである。移動局装置は、遅延型Ｌ１／Ｌ２グラントで割り当てられたリソースを使用して上りリンクデータと周期的な受信品質情報を同時に基地局装置に送信する。
【００９６】
#subframe７も基地局装置から周期的に受信品質情報を送信するようにリソースを割り当てられたサブフレームである。#subframe４で遅延型Ｌ１／Ｌ２グラントを受信した移動局装置は、#subframe７で詳細な受信品質情報を遅延型Ｌ１／Ｌ２グラントで割り当てられたＰＵＳＣＨのリソースを使用して送信する。すなわち、周期的な受信品質情報を送信するために割り当てられたリソースではなく、非周期的な受信品質情報を送信するために割り当てられたリソースを使用して受信品質情報を送信する。
【００９７】
移動局装置から送信される受信品質情報の送信フォーマットについても同様であり、#subframe１で、周期的に受信品質情報を送信するための送信フォーマット（例えば、送信フォーマットＡ）と非周期的に受信品質情報を送信するための送信フォーマット（例えば、送信フォーマットＢ）を設定された移動局装置は、#subframe７で非周期的に受信品質情報を送信するための送信フォーマットＢを使用して詳細な受信品質情報を送信する。すなわち、周期的な受信品質情報を送信するために設定された送信フォーマットではなく、非周期的な受信品質情報を送信するために設定された送信フォーマットを使用して受信品質情報を送信する。
【００９８】
# subframe９、#subframe１１、および、# subframe１４、#subframe１６でも同様の処理が行なわれる。# subframe９、# subframe１４で基地局装置は、非周期的に詳細な受信品質情報の送信を許可するための遅延型Ｌ１／Ｌ２グラントを送信する。ここでは基地局装置は、遅延時間：２サブフレームと設定した送信タイミング遅延情報を含んだ遅延型Ｌ１／Ｌ２グラントを送信したとする。この信号を受信した移動局装置は、この信号を受信した移動局装置は、遅延型Ｌ１／Ｌ２グラントを受信したタイミング（#subframe９、#subframe１４、もしくは仕様等で決められた固定値）で上りリンクデータを送信し、送信タイミング遅延情報で指定されたサブフレーム（遅延型Ｌ１／Ｌ２グラントを受信した#subframe９、#subframe１４＋２サブフレーム、すなわち、#subframe１１、#subframe１６）で詳細な受信品質情報を非周期的に送信する。
【００９９】
図６で示される処理について説明する。#subframe１で基地局装置は、移動局装置が周期的に受信品質情報を送信するために使用するＰＵＳＣＨ、ＰＵＣＣＨの長期的なリソースの割り当て、および、移動局装置が、周期的に受信品質情報を送信するための送信フォーマット、非周期的に受信品質情報を送信するための送信フォーマットの設定を、ＲＲＣシグナリングを用いて行なう。図６では、移動局装置が周期的に受信品質情報を送信するインターバルとして３サブフレームが設定されている。
【０１００】
#subframe４で基地局装置は、遅延型Ｌ１／Ｌ２グラントを送信する。ここでは、遅延時間：３サブフレームと設定した送信タイミング遅延情報を含んだ遅延型Ｌ１／Ｌ２グラントを送信したとする。この信号を受信した移動局装置は、遅延型Ｌ１／Ｌ２グラントで割り当てられたＰＵＳＣＨのリソースを使用して上りリンクデータと周期的な受信品質情報を送信する。また、送信タイミング遅延情報で設定されたサブフレーム（ここでは、#subframe７になる）で詳細な受信品質情報を送信できるよう、下りリンクで送信される情報に対する受信品質の測定が行なわれる。
【０１０１】
#subframe７で移動局装置は、#subframe４で送信された遅延型Ｌ１／Ｌ２グラントによって割り当てられたＰＵＳＣＨのリソースを使用して詳細な受信品質情報を送信する。移動局装置は、遅延型Ｌ１／Ｌ２グラントで割り当てられたＰＵＳＣＨのリソース、ＲＲＣシグナリングで設定された送信フォーマットを使用して受信品質情報を非周期的に送信する。
【０１０２】
#subframe９で基地局装置は、遅延型Ｌ１／Ｌ２グラントを送信する。ここでは、遅延時間：２サブフレームと設定した送信タイミング遅延情報を含んだ遅延型Ｌ１／Ｌ２グラントを送信したとする。この信号を受信した移動局装置は、上りリンクデータを基地局装置に送信する。また、送信タイミング遅延情報で設定されたサブフレーム（ここでは、#subframe１１になる）で詳細な受信品質情報を送信できるよう、下りリンクで送信される情報に対する受信品質の測定が行なわれる。
【０１０３】
#subframe１０で基地局装置は、通常のＬ１／Ｌ２グラントを送信する。この信号を受信した移動局装置は、上りリンクデータと周期的に送信するように設定された受信品質情報をＰＵＳＣＨのリソースを使用して基地局装置に送信する。
【０１０４】
#subframe１１で移動局装置は、#subframe９で送信された遅延型Ｌ１／Ｌ２グラントで割り当てられたＰＵＳＣＨのリソースを使用して詳細な受信品質情報を非周期的に送信する。詳細な受信品質情報を送信するための送信フォーマットは、非周期的な受信品質情報を送信するために設定された送信フォーマットを使用する。
【０１０５】
#subframe１３は、基地局装置からのＲＲＣシグナリングによって周期的な受信品質情報を送信するように設定されたサブフレームである。移動局装置は、ＲＲＣシグナリングによって割り当てられたリソース、送信フォーマットを使用して周期的な受信品質情報を基地局装置に送信する。
【０１０６】
#subframe９と同様に、#subframe１４で基地局装置は、遅延時間：２サブフレームと設定した送信タイミング遅延情報を含んだ遅延型Ｌ１／Ｌ２グラントを送信したとする。この信号を受信した移動局装置は、上りリンクデータを基地局装置に送信し、送信タイミング遅延情報で設定されたサブフレーム（ここでは、#subframe１６になる）で詳細な受信品質情報を送信できるよう、下りリンクで送信される情報に対する受信品質の測定が行なわれる。
【０１０７】
#subframe１６で移動局装置は、#subframe１４で送信された遅延型Ｌ１／Ｌ２グラントで割り当てられたＰＵＳＣＨのリソースを使用して詳細な受信品質情報を非周期的に送信する。詳細な受信品質情報を送信するための送信フォーマットは、非周期的な受信品質情報を送信するために設定された送信フォーマットを使用する。
【０１０８】
図６の#subframe４、#subframe９、#subframe１４のＬ１／Ｌ２グラントが黒塗りで示されているのは、このサブフレームで基地局装置が遅延型Ｌ１／Ｌ２グラントを送信していることを示し、#subframe１０のＬ１／Ｌ２グラントが白抜きで示されているのは、このサブフレームで基地局装置が通常のＬ１／Ｌ２グラントを送信していることを示している。また、#subframe４、#subframe１０の送信形態（右側、左側）がそれぞれ斜線と点模様で示されているのは、このサブフレームで移動局装置が周期的な受信品質情報と上りリンクデータを送信していることを示し、#subframe７、#subframe１１、#subframe１６の送信形態（右側）が格子模様で示されているのは、このサブフレームで移動局装置が詳細な受信品質情報を非周期的に送信していることを示している。さらに、# subframe９、# subframe１４の送信形態が（左側）が点模様で示されているのは、このサブフレームで移動局装置が上りリンクデータを送信していることを示している。
【０１０９】
以上説明したように、基地局装置が、受信品質情報の送信タイミングを指定する送信タイミング遅延情報を含んだ遅延型Ｌ１／Ｌ２グラントを送信し、この信号を受信した移動局装置は、遅延型Ｌ１／Ｌ２グラントが送信されたタイミングで上りリンクデータを送信し、送信タイミング遅延情報で指定された送信タイミングで非周期的に受信品質情報を送信することで、移動局装置から送信される上りリンクデータに遅延を発生させることなく、基地局装置からの迅速な上りリンクデータに対する送信要求に対応することができる。移動局装置は、送信タイミング遅延情報で指定された送信タイミングで受信品質情報を送信することができ、詳細な受信品質情報を測定するための時間（積分時間）が十分に確保され、信頼性の高い受信品質情報を基地局装置に送信することができる。基地局装置は、移動局装置からの信頼性の高い受信品質情報に基づいて、下りリンクで送信する情報に適応変調符号化や周波数選択スケジューリングの処理を施すことができ、現在の伝搬路の状況に適した緻密で効率的な通信制御（スケジューリング）を行なうことができる。
【０１１０】
また、本発明の第１の実施形態でも説明した通り、基地局装置から送信されるＬ１／Ｌ２グラントに送信タイミング遅延情報を含めて送信させることによって、基地局装置が行なう通信制御（スケジューリング）を柔軟に行なうことができる。基地局装置が下りリンクを使用して送信できるＬ１／Ｌ２グラントは、他の移動局装置に対するＬ１／Ｌ２グラントの使用状況によって制限されるため、１サブフレームで送信できるＬ１／Ｌ２グラントの制限を考慮した通信制御（スケジューリング）を行なうことができ、より柔軟性を持った基地局装置、移動局装置間の通信制御（スケジューリング）を実現することができる。
【０１１１】
なお、以上の実施形態では、送信タイミング遅延情報によって、１つの送信タイミングのみを指示する場合を説明した。すなわち、図４に示す例では、#subframe３において遅延型Ｌ１／Ｌ２グラントによって指示される送信タイミングは、「３サブフレーム後」であるように、１つの送信タイミングのみが示されていた。しかし、本発明は、これに限定されるわけではなく、送信タイミング遅延情報によって、複数の送信タイミングを指定することも可能である。例えば、図４に示す例では、#subframe３において遅延型Ｌ１／Ｌ２グラントによって、「３サブフレーム後と７サブフレーム後」という指示を行なうこともできる。
【０１１２】
以上、この発明の実施形態について図面を参照して詳述してきたが、具体的な構成はこの実施形態に限られるものではなく、この発明の要旨を逸脱しない範囲の設計等も特許請求の範囲に含まれる。
【図面の簡単な説明】
【０１１３】
【図１】本発明の第１の実施形態に係る基地局装置の概略構成を示すブロック図である。
【図２】本発明の第１の実施形態に係る移動局装置の概略構成を示すブロック図である。
【図３】本発明の第１の実施形態に係る基地局装置から移動局装置に送信される制御信号（Ｌ１／Ｌ２グラント）、移動局装置から基地局装置に送信される受信品質情報を概念的に示す図である。
【図４】本発明の第１の実施形態に係る基地局装置から移動局装置に送信される制御信号（Ｌ１／Ｌ２グラント）、基地局装置が、移動局装置に対して周期的に送信するように指定した受信品質情報、上りリンクを使用して送信される情報（上りリンクデータと周期的、非周期的に送信される受信品質情報）の送信形態、および、各サブフレームに対応した処理を示す図である。
【図５】本発明の第２の実施形態に係る基地局装置から移動局装置に送信される制御信号（Ｌ１／Ｌ２グラント）、移動局装置から基地局装置に送信される上りリンクデータと受信品質情報を概念的に示す図である。
【図６】本発明の第２の実施形態に係る基地局装置から移動局装置に送信される制御信号（Ｌ１／Ｌ２グラント）、基地局装置が、移動局装置に対して周期的に送信するように指定した受信品質情報、上りリンクを使用して送信される情報（上りリンクデータと周期的、非周期的に送信される受信品質情報）の送信形態、および、各サブフレームに対応した処理について示す図である。
【図７】従来から知られている受信品質情報の送信方法を説明するための図である。
【図８】下りリンクの情報に対する受信品質情報の測定を説明する例を示す図である。
【符号の説明】
【０１１４】
１００  基地局装置
１０１  データ制御部
１０２  変調符号化部
１０３  マッピング部
１０４  ＩＦＦＴ部
１０５  無線送信部
１０６  無線受信部
１０７  ＦＦＴ部
１０８  復調復号化部
１０９  データ抽出部
１１０  送信情報制御部
１１１  アンテナ
１１２  スケジューラ部
１１３  変調符号制御部
１１４  周波数選択スケジューラ部
１２０  送信部
１３０  受信部
２００  移動局装置
２０１  データ制御部
２０２  変調符号化部
２０３  マッピング部
２０４  ＩＦＦＴ部
２０５  無線送信部
２０６  無線受信部
２０７  ＦＦＴ部
２０８  復調復号化部
２０９  データ抽出部
２１０  受信品質情報制御部
２１１  アンテナ
２１２  受信品質情報生成部
２１３  受信品質測定部
２２０  送信部
２３０  受信部
【図１】
2009177723.tif 000003
【図２】
2009177723.tif 000004
【図３】
2009177723.tif 000005
【図４】
2009177723.tif 000006
【図５】
2009177723.tif 000007
【図６】
2009177723.tif 000008
【図７】
2009177723.tif 000009
【図８】
2009177723.tif 000010